(57)【要約】【課題】  気象庁などの警報発令機関が発令された警報内容に伴い、その警報による地域への影響を地域の住民等に正確かつ迅速に通知することができる緊急情報提供システムを提供すること。【解決手段】  緊急情報管理装置が、気象庁などの警報発令機関が洪水や高潮、津波などの警報を発布したときにその警報内容に応じて、地図データベースから衛星画像をベースにして地形情報、地域情報を重ね合わせたコンテンツを作成し、そのコンテンツに前記警報発令機関から入手した洪水や高潮、津波などによる災害地域や緊急避難場所情報を付加したＵＲＬコンテンツを作成する手段と、作成したＵＲＬコンテンツを前記位置測位機能付携帯電話機および前記利用者コンピュータに送信する手段とを備えることを特徴とする。【選択図】        図１
2006235842.tif 000002
【特許請求の範囲】
【請求項１】
緊急情報管理装置と、位置測位機能付携帯電話機を含む移動体ネットワークと、前記緊急情報管理装置と前記移動体ネットワークとを接続するインターネットならびにインターネットに接続する利用者コンピュータとを備える緊急情報提供システムであって、
緊急情報管理装置が、
気象庁などの警報発令機関が洪水や高潮、津波などの警報を発布したときにその警報内容に応じて、地図データベースから衛星画像をベースにして地形情報、地域情報を重ね合わせたコンテンツを作成し、そのコンテンツに前記警報発令機関から入手した洪水や高潮、津波などによる災害地域や緊急避難場所情報を付加したＵＲＬコンテンツを作成する手段と、作成したＵＲＬコンテンツを前記位置測位機能付携帯電話機および前記利用者コンピュータに送信する手段とを備えることを特徴とする緊急情報提供システム。
【発明の詳細な説明】
【技術分野】
【０００１】
本発明は、洪水や高潮、津波などの警報情報をインタ−ネットや移動体ネットワークを介して位置測位機能付携帯電話機や利用者のコンピュータのユーザに提供する緊急情報提供システムに関する。
【背景技術】
【０００２】
従来、洪水／高潮／津波発生時の避難方法は、事前に自治体等から広報紙などで配布されているが、実際に洪水／高潮／津波が発生したときに居る場所によってその広報紙を見ることができないケースが多い。
また、災害の状況によっては事前に計画された避難場所が代わる可能性も高く、最新の情報を入手する手段が難しかった。
また、洪水／高潮／津波警報が実際に発令された場合、避難等の連絡手段は周辺地域に張り巡らされたサイレンや放送設備を利用して伝達したり、警察署、消防署の職員等による巡回、電話連絡で行われる。
これらの方法では、情報の正確性、迅速性が不十分であり、さらに情報内容が画一的なため災害地点によっては緊急度も十分に伝わらず、災害地域内の人それぞれに必要な個別の情報を得る手段がなかった。
警報情報提供システムとしては、緊急通報システム及び緊急通報装置として下記の特許文献１に開示されたものがある。
【特許文献１】特開２００３−８７４３６号公報
【発明の開示】
【発明が解決しようとする課題】
【０００３】
しかしながら、前記特許文献１に記載のものは、緊急状態を発見あるいは発生した利用者が緊急連絡を消防署や病院などの機関に通報するシステムであり、洪水や高潮、津波などの警報を住民等に正確かつ迅速に通知する手段を持っていない。その点で、気象庁などから発令されている警報内容を入手できない環境にいる人々にとっては迅速に避難場所への移動ができずに被害者になってしまう可能性がある。
また、災害が発生したときに警報内容によって、どの地域が被災地域となり、どの地域に避難すればよいのかの情報を事前に入手しておくことも重要であるが、一意的な情報しかなく、大津波が５ｍ、６ｍのときなど状況に応じてシミュレーションすることは不可能であった。
【０００４】
本発明の目的は、気象庁などの警報発令機関が発令された警報内容に伴い、その警報による地域への影響を地域の住民等に正確かつ迅速に通知することができる緊急情報提供システムを提供することにある。
【課題を解決するための手段】
【０００５】
上記目的を達成するために、本発明は、緊急情報管理装置と、位置測位機能付携帯電話機を含む移動体ネットワークと、前記緊急情報管理装置と前記移動体ネットワークとを接続するインターネットならびにインターネットに接続する利用者コンピュータとを備える警報情報提供システムであって、緊急情報管理装置が、気象庁などの警報発令機関が洪水や高潮、津波などの警報を発布したときにその警報内容に応じて、地図データベースから衛星画像をベースにして地形情報、地域情報を重ね合わせたコンテンツを作成し、そのコンテンツに前記警報発令機関から入手した洪水や高潮、津波などによる災害地域や緊急避難場所情報を付加したＵＲＬコンテンツを作成する手段と、作成したＵＲＬコンテンツを前記位置測位機能付携帯電話機および前記利用者コンピュータに送信する手段とを備えることを特徴とする。
【発明の効果】
【０００６】
本発明によれば、気象庁などから発布されている警報内容を入手できない環境にいる人々に洪水や高潮、津波などの警報を住民等に正確かつ迅速に通知することが可能となり、危険区域における災害からの被災を回避できる。
また、事前に、災害が発生したときに警報内容によってどの地域が被災地域となり、どの地域に避難すればよいのかの情報をシミュレーションし、そのシミュレーション情報を入手できることから、発生した災害に応じた避難方法を行うことが可能となる。
【発明を実施するための最良の形態】
【０００７】
以下、本発明を実施する場合の一形態を図面を参照して具体的に説明する。
図１は、本発明の実施の一形態の衛星画像を利用した緊急情報提供システムの概念図である。
本発明に係る緊急情報提供システムでは、緊急情報管理システムＳ１とインターネットＮ１と移動体ネットワークＮ２と利用者コンピュータＵ１と位置測位機能付携帯電話機Ｕ２で構成される。
緊急情報管理システムＳ１は、コンテンツ情報Ｓ７を管理する機能を有するコンテンツサーバＳ２、Ｗｅｂコンテンツを提供するための機能を有するＷｅｂサーバＳ３、データベースＳ６を管理する機能を有する管理サーバＳ４、メール送信機能を有するメールサーバＳ５で構成される。
インターネットＮ１は、緊急情報管理システムＳ１と移動体ネットワークＮ２や利用者コンピュータＵ１との通信を行う機能を有する。
【０００８】
移動体ネットワークＮ２は、位置測位機能付携帯電話機Ｕ２との通信を行う機能を有する。
移動体ネットワークＮ２は、測位サーバＩ１とＷＡＰ（Wireless Application Protocol）サーバＩ２で構成される。
測位サーバＩ１は、位置測位機能付携帯電話機Ｕ２の位置を特定する機能を有する。
ＷＡＰサーバＩ２は、位置測位機能付携帯電話機Ｕ２にコンテンツを表示するためのインタフェース機能を有する。
以上より、気象庁などが警報を発布したときにその緊急情報を緊急情報管理システムＳ１で作成し、その緊急情報を利用者が位置測位機能付携帯電話機Ｕ２や利用者コンピュータＵ１で受信して閲覧することが可能となり、災害を未然に防ぐことが可能となる。
【０００９】
図２は、本発明の実施の一形態で緊急情報管理システムＳ１のコンテンツ情報のマッピング例である。
緊急情報管理システムＳ１は、管理サーバＳ４、コンテンツサーバＳ２で構成する。
管理サーバＳ４にはデータベースＳ６が接続されている。データベースＳ６には、衛星画像情報Ｓ６１、地形情報Ｓ６２、地域情報Ｓ６３が格納されている。
衛星画像情報Ｓ６１は、地球上を回り続けている衛星で撮影された画像のアーカイブ情報であり、各地区の上空からの撮影写真の画像が格納されている。この情報にはその撮影地点を表す位置情報を属性情報として持っている。
地形情報Ｓ６２は、山や丘、川などの地形に関する情報であり、これらの地形情報にはその情報を表す名称や大きさを表す３次元情報（幅、長さ、等高線）を属性情報として持っており、また衛星画像情報Ｓ６１とマッピングを行うための位置情報も属性情報として持っている。
地域情報Ｓ６３は、その地域の各種情報が格納されている。例として、地域情報Ｓ６３には住所情報（市町村、地域、番地など）、建造物情報（市役所、学校、ビルなど）や交通情報（道路名、線路名、橋など）などの地域に関する情報が格納されている。
これらの情報には、その情報を表す名称や大きさを表す３次元情報（幅、長さ、高さ）を属性情報として持っており、また衛星画像情報Ｓ６１とマッピングを行うための位置情報も属性情報として持っている。
【００１０】
コンテンツサーバＳ２は、作成されたコンテンツ情報Ｓ７を管理するサーバであり、コンテンツ情報として、衛星画像コンテンツＳ７１、“衛星画像と地形情報のマッピングコンテンツＳ７２”、“衛星画像と地形情報と地域情報のマッピングコンテンツＳ７３”などを格納する。
管理サーバＳ４がデータベースＳ６に格納されている情報のマッピング（重ね合わせ）を行って、コンテンツサーバＳ２にＡ市街地の緊急情報地図としてのコンテンツ情報を作成する例を以下に示す。
管理サーバＳ４は、Ａ市街地の緊急情報地図を作成するために、そのＡ市街地の位置情報を検索キーとして、データベースＳ６に格納されている衛星画像情報Ｓ６１と地形情報Ｓ６２と地域情報Ｓ６３を取り出す。その取り出した衛星画像コンテンツＳ７１をベースにして地形情報Ｓ６２を重ね合わせて“衛星画像と地形情報のマッピングコンテンツＳ７２”を作成し、さらに地域情報を重ね合わせすることにより“衛星画像と地形情報と地域情報のマッピングコンテンツＳ７３”を作成する。
以上のことから、“衛星画像と地形情報と地域情報のマッピングコンテンツＳ７３”を利用すれば、衛星からの写真画像がベースになっていることからより視覚的に見ることができ、かつ地形情報や地域情報のランドマークなどの情報が重なり合っているっていることから住民が見やすい地図情報となる。
【００１１】
図３は、本発明の実施の一形態で緊急情報管理システムＳ１の利用者コンピュータおよび位置測位機能付携帯電話閲覧用ＵＲＬコンテンツ作成の例である。
緊急情報管理システムＳ１は、管理サーバＳ４、コンテンツサーバＳ２、警報情報入力端末Ｓ９で構成する。
管理サーバＳ４は、警報情報Ｓ８を管理している。この警報情報Ｓ８に警報情報（洪水、高潮、津波などの情報）を入力するための警報情報入力端末Ｓ９も管理サーバＳ４に接続されている。
警報情報Ｓ８には、“洪水や高潮、津波の警報情報（地域名や高波量など）Ｓ８１”などを格納する。
コンテンツサーバＳ２は、作成されたコンテンツ情報Ｓ７を管理するサーバであり、コンテンツ情報として、“衛星画像と地形情報と地域情報のマッピングコンテンツＳ７３”、“ＵＲＬコンテンツ１（利用者コンピュータ用）Ｓ７４”、“ＵＲＬコンテンツ２（位置測位機能付携帯電話用）Ｓ７５”などを格納する。
気象庁などから警報が発令されたときには、その警報情報内容（洪水、高潮、津波など）を取得して、警報情報入力端末Ｓ９から管理サーバＳ４を介して警報情報Ｓ８に“洪水や高潮、津波の警報情報（地域名や高波量など）Ｓ８１”として登録する。この登録時に警報情報内容（例：大津波３Ｍ）に基づいて予めシミュレーションされた地域への影響（浸水、危険区域のシミュレーションなど）も同時に求めて“洪水や高潮、津波の警報情報（地域名や高波量など）Ｓ８１”に登録する。
【００１２】
管理サーバＳ４は、コンテンツサーバＳ２に接続されているコンテンツ情報Ｓ７から、“洪水や高潮、津波の警報情報（地域名や高波量など）Ｓ８１”に該当する地域があるか検索を行い、存在すれば、その地域の“衛星画像と地形情報と地域情報のマッピングコンテンツＳ７３”を取得し、警報情報Ｓ８の“洪水や高潮、津波の警報情報（地域名や高波量など）Ｓ８１”を用いて利用者がコンピュータや携帯電話機で閲覧できるように“ＵＲＬコンテンツ１（利用者コンピュ−タ用）Ｓ７４”と“ＵＲＬコンテンツ２（位置測位機能付携帯電話用）Ｓ７５”を作成し、コンテンツサーバＳ２を介してコンテンツ情報Ｓ７に登録する。
以上より、“ＵＲＬコンテンツ１（利用者コンピュ−タ用）Ｓ７４”や“ＵＲＬコンテンツ２（位置測位機能付携帯電話用）Ｓ７５”を見れば、災害（洪水や高潮、津波など）が発生したときに、危険な区域、安全な区域の見分けがはっきりした緊急情報を得ることが可能となる。
【００１３】
図４は、本発明の実施の一形態で緊急情報管理システムの緊急情報を利用者のコンピュータＵ１に表示させるための例である。
緊急情報管理システムＳ１は、ＷｅｂサーバＳ３、メールサーバＳ５、コンテンツサーバＳ２、管理サーバＳ４で構成する。
ＷｅｂサーバＳ３は、利用者からのＷｅｂページの閲覧要求に伴い、指定されたＷｅｂページを応答する機能を有する。
メールサーバＳ５は、利用者のコンピュータＵ１や携帯電話機Ｕ２にメールを送信する機能を有する。
コンテンツサーバＳ２は、Ｗｅｂ閲覧するときのＷｅｂページのコンテンツを管理する機能を有する。
管理サーバＳ４は、警報情報やメールを送信するための利用者情報を管理する機能を有する。
利用者は、利用者コンピュータＵ１にメール受信プログラムＵ１１とＷｅｂ閲覧プログラムＵ１２を用意しておき、インターネットＮ１を介してメールの受信やＷｅｂ閲覧を行うことができる。
管理サーバＳ４は、事前にサービス希望者である利用者から入手したメールアドレスや住所情報などを管理サーバＳ４に接続されている利用者情報Ｓ１０に“メールアドレス、住所情報等Ｓ１０１”として登録しておく。
【００１４】
管理サーバＳ４は、気象庁などから警報が発令されたときに利用者情報Ｓ１０に登録されている利用者情報を元に該当する地域の利用者全員に、コンテンツ情報Ｓ７に格納されている“ＵＲＬコンテンツ１（利用者コンピュータ用）Ｓ７４”のアドレス情報をメールにし、メールサーバＳ５を通じて利用者のコンピュータＵ１にメール送信する。
利用者は利用者コンピュータＵ１でそのメールをメール受信プログラムＵ１１で受信する。その受信したメールに書かれているＵＲＬアドレスを取得し、Ｗｅｂ閲覧プログラムＵ１２でそのＵＲＬアドレスを指定することによりＷｅｂサーバＳ３を介してＷＥＢページの閲覧を行う。
【００１５】
また、利用者が警報内容をＷｅｂページから指定することで、自動的に警報情報を作成することも可能である。以下にその例を示す。
利用者はＷｅｂ閲覧プログラムＵ１２から住所や警報内容を指定（例：大津波４Ｍ）する。
管理サーバＳ４は、コンテンツサーバＳ２に接続されているコンテンツ情報Ｓ７からその住所に該当する“衛星画像と地形情報と地域情報のマッピングコンテンツＳ７３”を取得し、利用者から指定された警報内容を元に“ＵＲＬコンテンツ１（利用者コンピュ−タ用）Ｓ７４”を動的に作成する。
この作成した“ＵＲＬコンテンツ１（利用者コンピュ−タ用）Ｓ７４”を、ＷｅｂサーバＳ３を介して利用者コンピュータＵ１上のＷｅｂ閲覧プログラムＵ１２に表示する。
以上より、利用者は“ＵＲＬコンテンツ１（利用者コンピュ−タ用）Ｓ７４”を見ることが可能となり、災害（洪水や高潮、津波など）が発生したときに、緊急情報を即座に受信し、危険な区域、安全な区域の見分けが明確になり、自分の所在する位置からどの方向やどこの場所に移動、避難すればよいのか判断可能となる。
また、事前に発生するかもしれないと思われる災害情報を元にシミュレートした緊急情報を見ておけば、万が一災害が発生したときには迅速に行動を起こすことが可能となる。
【００１６】
図５は、本発明の実施の一形態で緊急情報管理システムの緊急情報を利用者の位置測位機能付携帯電話機Ｕ２に表示させるための例である。
緊急情報管理システムＳ１は、ＷｅｂサーバＳ３、メールサーバＳ５、コンテンツサーバＳ２、管理サーバＳ４で構成する。
ＷｅｂサーバＳ３は、利用者からのＷｅｂ閲覧要求に伴い、指定されたＷｅｂページを応答する機能を有する。
メールサーバＳ５は、利用者のコンピュータにメールを送信する機能を有する。
コンテンツサーバＳ２は、Ｗｅｂ閲覧するときのＷｅｂページのコンテンツを管理する機能を有する。
管理サーバＳ４は、利用者情報やメールを送信するための利用者情報を管理する機能を有する。
利用者は、位置測位機能付携帯電話機Ｕ２を用意しておき、移動体ネットワークＮ２を介してメールの受信やＷｅｂ閲覧を行うことができる。
移動体ネットワークＮ２は、測位サーバＩ１とＷＡＰサーバＩ２で構成される。
測位サーバＩ１は、位置測位機能付携帯電話機Ｕ２の位置を特定する機能を有する。
ＷＡＰサーバＩ２は、位置測位機能付携帯電話機Ｕ２にコンテンツを表示するためのインタフェース機能を有する。
また、移動体ネットワークＮ２はインターネットＮ１と接続されている。
【００１７】
管理サーバＳ４は、気象庁などから警報が発令されたときに利用者情報Ｓ１０に登録されている利用者情報を元に該当する地域の利用者全員に、コンテンツ情報Ｓ７に格納されている“ＵＲＬコンテンツ２（位置測位機能付携帯電話用）Ｓ７５”のアドレス情報をメールにし、メールサーバＳ５を通じて利用者の位置測位機能付携帯電話機Ｕ２にメール送信する。
利用者は位置測位機能付携帯電話機Ｕ２でそのメールを受信し、その受信したメールに書かれているＵＲＬアドレスを取得して、ＷＡＰサーバＩ２を経由してＷｅｂ閲覧要求を行う。このときに測位サーバＩ１で位置測位機能付携帯電話機Ｕ２が実在する位置情報を取得して同時にＷｅｂサーバにＳ３に要求情報に付加して送信する。
管理サーバＳ４は、コンテンツ情報Ｓ７に登録された“ＵＲＬコンテンツ２（位置測位機能付携帯電話用）Ｓ７５”に利用者から送られてきた位置情報を付加したコンテンツを作成し、コンテンツサーバＳ２を介してコンテンツ情報Ｓ７に“ＵＲＬコンテンツ３（所在位置付加）Ｓ７６”として登録する。この作成した“ＵＲＬコンテンツ３（所在位置付加）Ｓ７６”をＷｅｂサーバＳ３、ＷＡＰサーバＩ２を経由して、要求元である位置測位機能付携帯電話機Ｕ２に表示する。
以上より、利用者は“ＵＲＬコンテンツ３（所在位置付加）Ｓ７６”を見ることが可能となり、災害（洪水や高潮、津波など）が発生したときに、緊急情報を即座に受信し、危険な区域、安全な区域の見分けが明確になり、自分の所在する位置からどの方向やどこの場所に移動、避難すればよいのか判断可能となる。
【図面の簡単な説明】
【００１８】
【図１】本発明の実施の一形態の衛星画像を利用した緊急情報提供システムの概念図である。
【図２】本発明の実施の一形態の緊急情報管理システムのコンテンツ情報のマッピング例を示す図である。
【図３】本発明の実施の一形態の緊急情報管理システムの利用者コンピュータおよび位置測位機能付携帯電話閲覧用ＵＲＬコンテンツの例を示す図である。
【図４】本発明の実施の一形態の緊急情報管理システムの緊急情報を利用者のコンピュータに表示させるための例を示す図である。
【図５】本発明の実施の一形態の緊急情報管理システムの緊急情報を利用者の位置測位機能付携帯電話機に表示させるための例を示す図である。
【符号の説明】
【００１９】
Ｓ１    緊急情報管理システム
Ｓ２    コンテンツサーバ
Ｓ３    Ｗｅｂサーバ
Ｓ４    管理サーバ
Ｓ５    メールサーバ
Ｓ６    データベース
Ｓ６１  衛星画像情報
Ｓ６２  地形情報
Ｓ６３    地域情報
Ｓ７    コンテンツ情報
Ｓ７１    衛星画像コンテンツ
Ｎ１    インターネット
Ｎ２    移動体ネットワーク
Ｉ１    測位サーバ
Ｉ２    ＷＡＰサーバ
Ｕ１    利用者コンピュータ
Ｕ２    位置測位機能付携帯電話機
【図１】
2006235842.tif 000003
【図２】
2006235842.tif 000004
【図３】
2006235842.tif 000005
【図４】
2006235842.tif 000006
【図５】
2006235842.tif 000007